(57)【要約】      （修正有）【課題】塗布ヘッドを不用意に突き出すことを防止する修正テープ塗布具を提供する。【解決手段】修正テープ塗布具１であって、前端に穴２１を備え、上側に開口部３１を備える筐体２と、筐体内に設けられる交換カセットと、交換カセットの上に配設され、且つ、筐体の開口部から露出し、押圧部６と弾性部材と蓋体とを含み、弾性部材が蓋体の上に設けられ、押圧部が該弾性部材の上に設けられることで、押圧部と弾性部材と蓋体を順番通り互いに配設させる押圧機構と、を含む。押圧機構を下押して押圧部を弾性部材に当接させ、蓋体を前方へ摺動させると、交換カセットを前進させることで、交換カセットの塗布ヘッド部を筐体の穴から突き出す。押圧機構を下押して押圧部を弾性部材に当接させ、蓋体を後方へ摺動させると、交換カセットを後退させることで、塗布ヘッド部を筐体内部に引っ込める。【選択図】図３
0003192006.tif 000002
【実用新案登録請求の範囲】
【請求項１】
前端に穴を備え、上側に開口部を備える筐体と、
前記筐体内に設けられる交換カセットと、
前記交換カセットの上に配設され、且つ、前記筐体の開口部から露出し、押圧部と弾性部材と蓋体とを含み、前記弾性部材が前記蓋体の上に設けられ、前記押圧部が前記弾性部材の上に設けられることで、前記押圧部と前記弾性部材と前記蓋体を順番通り互いに配設させる押圧機構と、を含み、
前記押圧機構を下押して前記押圧部を前記弾性部材に当接させ、前記蓋体を前方へ摺動させると、前記交換カセットを前進させることで、前記交換カセットの塗布ヘッド部を前記筐体の穴から突き出し、前記押圧機構を下押して前記押圧部を該弾性部材に当接させ、前記蓋体を後方へ摺動させると、前記交換カセットを後退させることで、前記塗布ヘッド部を前記筐体内部に引っ込めることを特徴とする修正テープ塗布具。
【請求項２】
前記筐体は、第１の筐体と第２の筐体とを含み、前記第１の筐体に係合穴が設けられ、前記第２の筐体に係止片が設けられ、前記係止片が前記係合穴に係着することを特徴とする請求項１に記載の修正テープ塗布具。
【請求項３】
前記押圧機構の蓋体は、ロッド部と凹溝を備え、前記ロッド部が、該交換カセットに設けられる穴に挿入され、前記押圧機構の弾性部材が前記蓋体の凹溝上に設けられ、前記押圧部にブロックが設けられ、前記ブロックと前記弾性部材と前記蓋体の凹溝とが互いに配設されていることを特徴とする請求項１に記載の修正テープ塗布具。
【請求項４】
前記筐体の開口部に第１の切欠きと第２の切欠きが設けられ、これらの切欠きが前記押圧部のブロックに対応していることを特徴とする請求項３に記載の修正テープ塗布具。
【請求項５】
前記蓋体の凹溝は、十字形凹溝であり、前記押圧部のブロックは十字形ブロックであることを特徴とする請求項３に記載の修正テープ塗布具。
【考案の詳細な説明】
【技術分野】
【０００１】
本考案は、修正テープ塗布具に関し、特に、塗布ヘッド部を筐体から突き出す或いは筐体内部に引っ込めることができる押圧式修正テープ塗布具に関する。
【背景技術】
【０００２】
従来の修正テープ塗布具は文書作業上の誤記の修正に用いられる。修正テープは、誤記部分を覆い隠す白色顔料（一般的には二酸化チタン粉末と樹脂が混合した隠蔽層）と、隠蔽層を誤記部分に接着する感圧接着層とをフィルム状のプラスチック基材に極薄く被覆したものであって、修正液と同じ修正効果を奏することができる。修正テープは、修正液のように毒性を含有する有機溶液を使用することがないため、修正液に比べると更に公害がない。また、修正テープを誤記部分にカバーした後、修正液のように乾燥させる必要がなく、すぐ原位置に再度筆記でき、極めて便利なため、現在では修正テープ塗布具が幅広く使用されている。
【０００３】
現在、使い捨てタイプとテープ交換タイプとの修正テープ塗布具が市場に出回っている。使い捨てタイプの修正テープは、使い切った時或いは内部部品が故障した時、該修正テープ塗布具を捨ててしまい再利用できない。テープ交換タイプの修正テープ塗布具は、修正テープを使い切った時、テープカセットと支持機構の部分を交換すると、該修正テープ塗布具を再使用できる。
【０００４】
公知の修正テープ塗布具は、主に第１の筐体と、第２の筐体と、第１の筐体と第２の筐体が結合して形成される収容空間内に設けられる修正テープ交換カセットとを含む。また、その修正テープ塗布具の上面には塗布ヘッド突き出し部（以下、単に突き出し部という）が設けられている。利用者は親指で突き出し部を前方へ或いは後方へ摺動させると、修正テープ交換カセットを前進又は後退させることで、修正テープ交換カセットの前端にある塗布ヘッド部が第１の筐体から突き出される或いは第１の筐体内に引っ込められる。しかしながら、公知の修正テープ塗布具が学生かばん内に入って他の文房具又は書籍と一緒になった時、学生かばんの揺れにより文房具又は書籍が不用意に公知の修正テープ塗布具の突き出し部に当って修正テープ交換カセットを前進させて、その塗布ヘッド部が第１の筐体から突き出され、その塗布ヘッド部がこれにより破損を受けて使用できなくなる可能性があるため、公知の修正テープ塗布具にはやはり欠陥が存在しているので、改良の必要があった。
【考案の概要】
【考案が解決しようとする課題】
【０００５】
よって、上述の問題点を克服できる修正テープ塗布具を開発する必要があった。本考案は、公知の修正テープ塗布具に比べて、「押圧機構のロック機能」を有する。利用者は、まず押圧部を下押したまま押圧部を前方へ摺動させると、修正テープの交換カセットが前進して、塗布ヘッド部が筐体から突き出されて使用される。一方、利用者は、押圧部を再度下押したまま押圧部を後方へ摺動させると、修正テープの交換カセットが後退して、塗布ヘッド部が筐体内部に引っ込められる。
【課題を解決するための手段】
【０００６】
上記目的を達成するため、本考案の修正テープ塗布具は、前端に穴を備え、上側に開口部を備える筐体と、該筐体内に設けられる交換カセットと、該交換カセットの上に配設され、且つ該筐体の開口部から露出し、押圧部と弾性部材と蓋体とを含み、該弾性部材が該蓋体の上に設けられ、該押圧部が該弾性部材の上に設けられることで、該押圧部と該弾性部材と該蓋体を順番通り互いに配設させる押圧機構と、を含む。該押圧機構を下押して該押圧部を該弾性部材に当接させ、該蓋体を前方へ摺動させると、該交換カセットを前進させることで、該交換カセットの塗布ヘッド部を該筐体の穴から突き出す。該押圧機構を下押して該押圧部を該弾性部材に当接させ、該蓋体を後方へ摺動させると、該交換カセットを後退させることで、該塗布ヘッド部を該筐体内部に引っ込める。
【０００７】
該筐体は、第１の筐体と第２の筐体とを含み、該第１の筐体に係合穴が設けられ、該第２の筐体に係止片が設けられ、該係止片が該係合穴に係着することが好ましい。
該押圧機構の蓋体は、ロッド部と凹溝を備え、該ロッド部が、該交換カセットに設けられる穴に挿入され、該押圧機構の弾性部材が該蓋体の凹溝上に設けられ、該押圧部にブロックが設けられ、該ブロックと該弾性部材と該蓋体の凹溝とが互いに配設されていることが好ましい。
【０００８】
該筐体の開口部に第１の切欠きと第２の切欠きが設けられ、これらの切欠きが該押圧部のブロックに対応していることが好ましい。
該蓋体の凹溝は、十字形凹溝であり、該押圧部のブロックは十字形ブロックであることが好ましい。
【考案の効果】
【０００９】
本考案の利点は、押圧機構のロック機能を有し、利用者は、まず「押圧部を下押」してから前方へ該押圧部を摺動させると、該修正テープの交換カセットが前進して、該塗布ヘッド部が筐体から突き出されることができる。該塗布ヘッド部を引っ込める場合、利用者は、「押圧部を再度下押」したまま該押圧部を後方へ摺動させると、該交換カセットが後退して、該塗布ヘッド部が該筐体内部に引っ込められる。本考案は、該押圧部を前方へ或いは後方へ摺動させるだけであれば、該交換カセットを移動させることができず、その前にまず「該押圧部を下押す」動作を加えることで移動させることができる。
【図面の簡単な説明】
【００１０】
【図１】本考案の修正テープ塗布具の分解図である。
【図２】押圧部、弾性部材を修正テープ塗布具から分離した様子を示す模式図である。
【図３】本考案の修正テープ塗布具の組立図である。
【図４】交換カセットの塗布ヘッド部が修正テープ塗布具の筐体内部に引っ込められた様子を示す模式図である。
【図５】交換カセットの塗布ヘッド部が修正テープ塗布具の筐体から突き出された様子を示す模式図である。
【図６Ａ】図４乃至図５の動作の流れの断面模式図である。
【図６Ｂ】図４乃至図５の動作の流れの断面模式図である。
【図６Ｃ】図４乃至図５の動作の流れの断面模式図である。
【図６Ｄ】図４乃至図５の動作の流れの断面模式図である。
【図６Ｅ】図４乃至図５の動作の流れの断面模式図である。
【図７】交換カセットの塗布ヘッド部が修正テープ塗布具の筐体から突き出された様子を示す模式図である。
【図８】交換カセットの塗布ヘッド部が修正テープ塗布具の筐体内部に引っ込められた様子を示す模式図である。
【図９Ａ】図７乃至図８の動作の流れの断面模式図である。
【図９Ｂ】図７乃至図８の動作の流れの断面模式図である。
【図９Ｃ】図７乃至図８の動作の流れの断面模式図である。
【図９Ｄ】図７乃至図８の動作の流れの断面模式図である。
【図９Ｅ】図７乃至図８の動作の流れの断面模式図である。
【考案を実施するための形態】
【００１１】
本考案は、本考案の好ましい実施例を含む添付図面を参照しながら詳しく記述するが、本文内に記述される考案を修正や変更するとともに、本考案の効果を得ることができることは、当業者には明白であろう。よって、以上の記述は当業者にとって一般的開示であり、且つ本考案は、その内容に限定されるものではないことが理解されるべきである。
【００１２】
図１、図２及び図３を参照しながら説明する。図１は、本考案の修正テープ塗布具の分解図で、図２が押圧部、弾性部材を修正テープ塗布具から分離した様子を示す模式図で、図３が本考案の修正テープ塗布具の組立図である。本考案の修正テープ塗布具１は、前端に穴２１を有し、且つ両側の後端に係合穴２２を備える第１の筐体２と、上側に開口部３１を有し、且つ両側に係止片３２を備え、該係止片３２が該第１の筐体２の係合穴２２に係着することで該第２の筐体３を該第１の筐体２に接合させる第２の筐体３と、該第１の筐体２と該第２の筐体３が結合して形成される収容空間内に設けられる交換カセット４と、該交換カセット４の上に配設され、且つ該第２の筐体３の開口部３１から露出し、押圧部６と弾性部材７と蓋体８とを含み、該弾性部材７が該蓋体８の上に設けられ、該押圧部６が該弾性部材７の上に設けられることで、該押圧部６と該弾性部材７と該蓋体８が順番通り互いに配設された押圧機構５と、を含む。
【００１３】
該蓋体８は、下方へ向かってロッド部８１が延在し、且つ凹溝８２を有する。前記凹溝８２は、該第２の筐体３の開口部３１に対応し、該ロッド部８１は、該交換カセット４に設けられる穴４１の中に挿入される。図２から見ると、該蓋体８と該第２の筐体３を互いに配設する時、該凹溝８２は該開口部３１内に位置する。該弾性部材７は、該蓋体８の凹溝８２上に設けられ、更に詳細に説明すると、該凹溝８２に上方へ向かって凸柱８３が延在し、該弾性部材７の一端が該凸柱８３の上にかぶせられる。該押圧部６は、下方へ向かってブロック６１を設け、更に詳細に説明すると、該ブロック６１は、円形穴６２を有し、該弾性部材７の他端が該円形穴６２内にかぶせられる。総合して言うと、該弾性部材７の両端は、該押圧部６のブロック６１の円形穴６２と該蓋体８の凹溝８２の凸柱８３に各々当接する。特に、該蓋体８の凹溝８２は十字形凹溝で、該押圧部６のブロック６１は十字形ブロックである。該第２の筐体３の開口部３１に第１の切欠き３１１と第２の切欠き３１２が設けられ、該第１の切欠き３１１と第２の切欠き３１２が該押圧部６のブロック６１に対応する。
【００１４】
図４と図５を参照すると、それぞれ交換カセットの塗布ヘッド部が修正テープ塗布具の筐体内部に引っ込められた様子と修正テープ塗布具の筐体から突き出された様子を示す図で、また図６Ａ、図６Ｂ、図６Ｃ、図６Ｄ及び図６Ｅも一緒に参照する。図６Ａ〜図６Ｅは、図４乃至図５の動作の流れの断面模式図である。図６Ａ〜図６Ｅにおいて、図面が鮮明で閲覧しやすくなるように、該ブロック６１、該第１の切欠き３１１、該第２の切欠き３１２及び該蓋体８を表記しただけである。利用者は、親指で該押圧機構５に力を加える時、まず下押ししたまま左へ摺動させると、該交換カセット４に設けられる塗布ヘッド部４２を該穴２１の外側に突き出すことができる。前記ブロック６１、該第１の切欠き３１１、該第２の切欠き３１２及び該蓋体８の作動関係を以下に記述する。図６Ａ乃至図６Ｂ：該押圧部６が下押しされた時、該ブロック６１が該第１の切欠き３１１を通過して下方へ移動し、該弾性部材７が自由状態から圧縮状態に変わる。図６Ｂ乃至図６Ｄ：利用者は、該押圧部６を左へ摺動させて前進させ、前記ブロック６１も前方へ該蓋体８に当接することで、該蓋体８を左方へ移動させることができ、該蓋体８のロッド部８１が該交換カセット４の穴４１内に挿入されているため、該交換カセット４を左方へ移動（構成要素の符号は図１を参照）させることができることを示している。図６Ｄ乃至図６Ｅ：利用者が親指を放した後、該弾性部材７が圧縮状態から自由状態に戻るため、該押圧部６が上方へ移動でき、つまり該ブロック６１は該第２の切欠き３１２を通過して上方へ移動できる。
【００１５】
図７と図８を参照すると、それぞれ交換カセットの塗布ヘッド部が修正テープ塗布具の筐体内部に引っ込められた様子と修正テープ塗布具の筐体から突き出された様子を示す図で、また図９Ａ、図９Ｂ、図９Ｃ、図９Ｄ及び図９Ｅも一緒に参照する。図９Ａ〜図９Ｅは、図７乃至図８の動作の流れの断面模式図である。図９Ａ〜図９Ｅにおいて、図面が鮮明で閲覧しやすくなるように、該ブロック６１、該第１の切欠き３１１、該第２の切欠き３１２及び該蓋体８を表記しただけである。利用者は、親指で該押圧機構５に力を加える時、まず下押ししたまま右へ摺動させると、該塗布ヘッド部４２を該修正テープ塗布具１の筐体内部に引っ込めることができる。前記ブロック６１、該第１の切欠き３１１、該第２の切欠き３１２及び該蓋体８の作動関係を以下に記述する。図９Ａ乃至図９Ｂ：該押圧部６が下押しされた時、該ブロック６１が該第２の切欠き３１２を通過して下方へ移動し、該弾性部材７が自由状態から圧縮状態に変わる。図９Ｂ乃至図９Ｄ：利用者は、該押圧部６を右へ摺動させて後退させ、前記ブロック６１も前方へ該蓋体８に当接することで、該蓋体８を左方へ移動させることができ、該蓋体８のロッド部８１が該交換カセット４の穴４１内に挿入されているため、該交換カセット４を右方へ移動（構成要素の符号は図１を参照）させることができることを示している。図９Ｄ乃至図９Ｅ：利用者が親指を放した後、該弾性部材７が圧縮状態から自由状態に戻るため、該押圧部６が上方へ移動でき、つまり該ブロック６１は該第１の切欠き３１１を通過して上方へ移動して元の位置に戻ることができる。
【００１６】
本考案の好ましい実施例を詳細に説明した後、本考案のさまざまな修正及び変更を、下記実用新案登録請求の範囲と精神から外れることなく実施できることは、当業者には明白であろう。また、本考案は、明細書内に挙げた実施例の実施態様に限定されるものではないことが理解されるべきである。
【符号の説明】
【００１７】
１：修正テープ塗布具、２：第１の筐体、２１：穴、２２：係合穴、３：第２の筐体、３１：開口部、３１１：第１の切欠き、３１２：第２の切欠き、３２：係止片、４：交換カセット、４１：穴、４２：塗布ヘッド部、５：押圧機構、６：押圧部、６１：ブロック、６２：円形穴、７：弾性部材、８：蓋体、８１：ロッド部、８２：凹溝、８３：凸柱。
【図１】
0003192006.tif 000003
【図２】
0003192006.tif 000004
【図３】
0003192006.tif 000005
【図４】
0003192006.tif 000006
【図５】
0003192006.tif 000007
【図６Ａ】
0003192006.tif 000008
【図６Ｂ】
0003192006.tif 000009
【図６Ｃ】
0003192006.tif 000010
【図６Ｄ】
0003192006.tif 000011
【図６Ｅ】
0003192006.tif 000012
【図７】
0003192006.tif 000013
【図８】
0003192006.tif 000014
【図９Ａ】
0003192006.tif 000015
【図９Ｂ】
0003192006.tif 000016
【図９Ｃ】
0003192006.tif 000017
【図９Ｄ】
0003192006.tif 000018
【図９Ｅ】
0003192006.tif 000019